(57)【要約】【課題】管理されている出願・公開前のアイデア・特許情報に対し、類似と思われる特許関連公報を特許検索システムから探し出し、その公報のＩＰＣ、ＦＩ、Ｆタームといった特許分類を、対象アイデア・特許情報を管理しているシステムに自動的に格納し、管理システム上で検索できる手段とを備えたアイデア・特許提案における特許分類取得システムを提供すること。【解決手段】入力された特許分類を、対象のアイデア・特許情報の特許分類格納領域から検索する手段と、検索した結果のアイデア管理番号を元にアイデア格納情報領域から該当のアイデアを取得する手段によって取得したアイデア情報を表示する手段とを備える。【選択図】図１
2006227757.tif 000002
【特許請求の範囲】
【請求項１】
特許提案前のアイデア、又は出願後公開前の特許情報を管理するシステムにおいて、それら提案から出願・公開前のアイデア・特許情報に対し、ＩＰＣ、ＦＩ、Ｆタームといった特許分類を格納する領域を保持し、
管理するシステムで保持しているアイデア・特許情報を平文とし、概念検索を含む特許検索システムから特許分類を自動で取得する手段と、
取得した特許分類を対象のアイデア・特許情報の特許分類格納領域へ格納する手段と、
出願・公開前のアイデア・特許情報について自動で取得した特許分類で、アイデア・特許情報を検索できる手段とを備えたことを特徴とするアイデア・特許提案における特許分類取得システム。
【請求項２】
特許提案前のアイデア、又は出願後公開前の特許情報を管理するシステムにおいて、それら提案から出願・公開前のアイデア・特許情報に対し、独自の機能分類及び技術分類を格納する領域を保持し、
管理するシステムで独自の機能分類及び技術分類を入力する手段と、
入力された独自の機能分類及び技術分類を、対象のアイデア・特許情報の特許分類格納領域へ格納する手段と、
出願・公開前のアイデア・特許情報について自動で取得した特許分類で、アイデア・特許情報を検索できる手段とを備えたことを特徴とするアイデア・特許提案における特許分類取得システム。
【請求項３】
特許提案前のアイデア、又は出願後公開前の特許情報を管理するシステムにおいて、それら提案から出願・公開前のアイデア・特許情報に対し、独自の機能分類及び技術分類を格納する領域を保持し、
管理するシステムで独自の機能分類及び技術分類を変更する手段と、
変更された独自の機能分類及び技術分類を、対象のアイデア・特許情報の特許分類格納領域へ格納する手段と、
出願・公開前のアイデア・特許情報について自動で取得した特許分類で、アイデア・特許情報を検索できる手段とを備えたことを特徴とするアイデア・特許提案における特許分類取得システム。
【請求項４】
特許提案前のアイデア、又は出願後公開前の特許情報を管理するシステムにおいて、特許分類の検索条件を入力する手段と、
入力された特許分類を、対象のアイデア・特許情報の特許分類格納領域から検索する手段と、
検索した結果のアイデア管理番号を元にアイデア格納情報領域から該当のアイデアを取得する手段によって
取得したアイデア情報を表示する手段とを備えたことを特徴とするアイデア・特許提案における特許分類取得システム。
【請求項５】
特許提案前のアイデア、又は出願後公開前の特許情報を管理するシステムにおいて、独自の機能分類及び技術分類の検索条件を入力する手段と、
入力された独自の機能分類及び技術分類を、対象のアイデア・特許情報の特許分類格納領域から検索する手段と、
検索した結果を表示する手段とを備えたことを特徴とするアイデア・特許提案における特許分類取得システム。
【発明の詳細な説明】
【技術分野】
【０００１】
本発明は、企業内等で管理されているアイデア、特許情報を特定の分類ごとに統計・検索できるシステムに関する。
【０００２】
企業内で管理されている出願前、公開前のアイデア、特許情報を分析することで、今後の特許戦略を早期に立案することができる。
【背景技術】
【０００３】
従来、アイデア、特許情報を分析するためには、システムで管理されているアイデア等をキーワードで検索し、統計分析をするに止まっていた。
【０００４】
【特許文献１】特開２００１−３３１５０４号公報
【発明の開示】
【発明が解決しようとする課題】
【０００５】
しかしながら、キーワードは、人により使用する言葉が違うといった問題があり、検索の際に検索もれといった現象が発生し、統計分析を正確に行えないという問題があった。
【０００６】
本発明は上記問題に鑑みてなされたもので、その目的とする処は、出願・公開前のアイデア・特許情報の検索時に取得もれを起こさないために、アイデア・特許情報を管理するシステムで、管理されている出願・公開前のアイデア・特許情報に対し、類似と思われる特許関連公報を特許検索システムから探し出し、その公報のＩＰＣ、ＦＩ、Ｆタームといった特許分類を、対象アイデア・特許情報を管理しているシステムに自動的に格納し、管理システム上で検索できる手段とを備えたアイデア・特許提案における特許分類取得システムを提供することである。
【課題を解決するための手段】
【０００７】
上記課題を達成するため、請求項１記載の発明は、特許提案前のアイデア、又は出願後公開前の特許情報を管理するシステムにおいて、それら提案から出願・公開前のアイデア・特許情報に対し、ＩＰＣ、ＦＩ、Ｆタームといった特許分類を格納する領域を保持し、管理するシステムで保持しているアイデア・特許情報を平文とし、概念検索を含む特許検索システムから特許分類を自動で取得する手段と、取得した特許分類を対象のアイデア・特許情報の特許分類格納領域へ格納する手段と、出願・公開前のアイデア・特許情報について自動で取得した特許分類で、アイデア・特許情報を検索できる手段とを備えるように構成したことを特徴とする。
【０００８】
請求項２記載の発明は、特許提案前のアイデア、又は出願後公開前の特許情報を管理するシステムにおいて、それら提案から出願・公開前のアイデア・特許情報に対し、独自の機能分類及び技術分類を格納する領域を保持し、管理するシステムで独自の機能分類及び技術分類を入力する手段と、入力された独自の機能分類及び技術分類を、対象のアイデア・特許情報の特許分類格納領域へ格納する手段と、出願・公開前のアイデア・特許情報について自動で取得した特許分類で、アイデア・特許情報を検索できる手段とを備えるように構成したことを特徴とする。
【０００９】
請求項３記載の発明は、特許提案前のアイデア、又は出願後公開前の特許情報を管理するシステムにおいて、それら提案から出願・公開前のアイデア・特許情報に対し、独自の機能分類及び技術分類を格納する領域を保持し、管理するシステムで独自の機能分類及び技術分類を変更する手段と、変更された独自の機能分類及び技術分類を、対象のアイデア・特許情報の特許分類格納領域へ格納する手段と、出願・公開前のアイデア・特許情報について自動で取得した特許分類で、アイデア・特許情報を検索できる手段とを備えるように構成したことを特徴とする。
【００１０】
請求項４記載の発明は、特許提案前のアイデア、又は出願後公開前の特許情報を管理するシステムにおいて、特許分類の検索条件を入力する手段と、入力された特許分類を、対象のアイデア・特許情報の特許分類格納領域から検索する手段と、検索した結果のアイデア管理番号を元にアイデア格納情報領域から該当のアイデアを取得する手段によって取得したアイデア情報を表示する手段とを備えるように構成したことを特徴とする。
【００１１】
請求項５記載の発明は、特許提案前のアイデア、又は出願後公開前の特許情報を管理するシステムにおいて、独自の機能分類及び技術分類の検索条件を入力する手段と、入力された独自の機能分類及び技術分類を、対象のアイデア・特許情報の特許分類格納領域から検索する手段と、検索した結果を表示する手段とを備えるように構成したことを特徴とする。
【発明の効果】
【００１２】
本発明によれば、企業内等での特許出願前からの技術傾向や、状況を把握することができ、特許戦略を立てる上での情報を早期に取得することができるという効果を奏することができる。
【発明を実施するための最良の形態】
【００１３】
本発明の一実施形態について、図面を参照して説明する。
【００１４】
アイデア提案サーバ（１０）にアイデア情報等を格納する領域（１１）とアイデア情報等をクライアント端末（４１）から入力・保存できる機能と、特許分類等を格納する領域（２１）と、アイデア情報及び特許分類等を検索できる機能を持ったアイデア管理システムと、概念検索機能を持った特許検索システムで構成される。クライアントと、アイデア管理システムと、特許検索システムは、情報系ネットワークインフラ（５１）上で接続された関係を持つ。
【００１５】
特許分類等の格納方法は、先ず、アイデア管理システムのアイデア入力画面でアイデア情報等を入力し保存（Ｓ１０１）した場合、保存されたアイデア情報等を平文データとし、アイデア管理システムから、概念検索機能を持つ特許検索システムへ概念検索を行う（Ｓ１０２）。特許検索システムでは、概念検索を行い、指定数の公報から特許分類を取得し、アイデア管理システムへデータを返す（Ｓ１０３）。アイデア入力画面で項目が複数存在する場合は、特許分類を取得するための平文データとして使用する項目は、事前に、若しくは、アイデア入力時に指定することができるものとする。
【００１６】
アイデア管理システムでは、取得した特許分類を集計し、アイデア管理番号をキーとして、出現数の多い上位指定数分の特許分類を特許分類等格納領域へ格納する（Ｓ１０４）。Ｓ１０２〜Ｓ１０４はリアルタイム処理、若しくは、夜間等に一度に動作するバッチ処理等で行うことが可能とする。
【００１７】
アイデア管理システムでは、入力された特許分類を表示する領域が存在する。又、アイデア管理システムで特許分類を人手にて編集可能とする。
【００１８】
アイデア管理システムから特許分類を指定し、検索を行う方法は、先ず、クライアントより、アイデア管理システムで検索用の画面を開き（Ｓ２０１）、特許分類を指定する項目に値を入力する（Ｓ２０２）（図２参照）。入力された値から、特許分類等格納領域へ検索を行い、対象となるアイデア管理番号を取得する（Ｓ２０３）。アイデア管理番号を基に、アイデア情報等格納領域へ、対象アイデア等を取得（Ｓ２０４）し、クライアント表示用画面に取得した情報を表示する（Ｓ２０５）。検索画面には、特許分類以外の項目も存在可能とし、他項目と特許分類項目が入力されたときには、他項目で検索されたアイデア管理番号と上記方法で取得したアイデア管理番号とで論理演算を行い、対象となるアイデア管理番号を取得することが可能とする。
【図面の簡単な説明】
【００１９】
【図１】本発明の一実施形態における機器・ネットワーク等の構成のブロック図である。
【図２】本発明の一実施形態におけるアイデア検索画面例である。
【図３】本発明の一実施形態におけるアイデアから特許分類を取得する動作を説明するためのフローチャート図である。
【図４】本発明の一実施形態における特許分類からアイデアを検索する動作を説明するためのフローチャート図である。
【符号の説明】
【００２０】
１０        ＣＰＵ・メモリ等を有する、アイデア管理・処理を実行するコンピュータサーバ装置
１１        アイデア等の情報を(１０)経由で格納する領域
２１        特許分類情報を、アイデア管理番号をキーとし(１０)経由で格納する領域
３０        ＣＰＵ・メモリ等を有する特許公報を検索・表示処理を実行するコンピュータサーバ装置
３１        （３０）で検索・表示する特許公報データを格納する領域
４１        ＣＰＵ・メモリ等を有する、コンピュータクライアント端末
５１        各コンピュータサーバ・クライアント端末等をネットワーク接続するネットワークインフラ
【図１】
2006227757.tif 000003
【図２】
2006227757.tif 000004
【図３】
2006227757.tif 000005
【図４】
2006227757.tif 000006